(57)【要約】  電子対話式通信システムおよび方法が開示される。ソフトウェアコントロールおよびコントロールマネージャが、中央ロケーションと通信するユニット（２０、２２、２４）に存在する。中央ロケーション（１６）は情報をユニットに送る。情報またはデータは、中央ロケーションにおけるデータベース（３０）に存在することができる。複数の異なるユニット（２０、２２、２４）が中央ロケーションの送信源からデータを受け取り、ユニットにすでにあるデータを更新または操作する。システムは、狭帯域幅を使用してユニットから中央ロケーション（１６）にデータを交換する。ユニットは送信器およびプロセッサを備える。ユニットは、受け取ったデータに、格納データが関連付けられた後、データをユーザに表示するディスプレイも備える。たとえば、受け取ったデータがユニットに表示されている地図上に重ねられる。
2005514826.tif 000002
【特許請求の範囲】
【請求項１】
データを含む記憶部に接続され、前記データを保持する信号を送信する送信器と、
前記信号を受信する送受信器と、
ディスプレイに接続されたプロセッサであって、前記信号を解釈し、前記信号内の前記受信データを、前記プロセッサがアクセス可能なデータに関連付けるプロセッサと
を備えるデータ交換システム。
【請求項２】
前記データは前記プロセッサに記憶される、請求項１記載のデータ交換システム。
【請求項３】
前記ディスプレイは前記格納データに関連付けられた前記受信データを表示する、請求項２記載のデータ交換システム。
【請求項４】
前記送受信器はユニットデータを前記記憶部に送信する、請求項１記載のデータ交換システム。
【請求項５】
前記プロセッサに接続され、前記データを選択するフィルタをさらに備える請求項１記載のデータ交換システム。
【請求項６】
前記プロセッサおよび前記送受信器を収容するユニットをさらに備える請求項１記載のデータ交換システム。
【請求項７】
中央源からデータを受信するプロセッサと、
前記プロセッサに接続され、コントロールにより操作可能なグラフィカルデータを記憶するメモリと、
前記プロセッサに接続され、前記コントロールに従って前記受信データおよび前記グラフィカルデータを表示するディスプレイと、
前記コントロールを識別し管理するマネージャであって、前記プロセッサによりイネーブルされるマネージャと
を備えるデータ交換処理ユニット。
【請求項８】
前記中央源からの前記データはワイヤレスネットワークを介して伝送される、請求項７記載のデータ交換処理ユニット。
【請求項９】
前記コントロールは、前記マネージャをサポートする動作環境において動作する、請求項７記載のデータ交換処理ユニット。
【請求項１０】
前記送受信器に接続されたアンテナをさらに備える請求項７記載のデータ交換処理ユニット。
【請求項１１】
前記受信データはソフトウェアアイコンとして表示される、請求項７記載のデータ交換処理ユニット。
【請求項１２】
ユニットと制御センタの間でデータを交換する方法であって、
前記ユニット上のプロセッサに接続された送受信器において、前記制御センタから前記データを受信することと、
コントロールがマネージャと通信している状態で、前記プロセッサを介してグラフィカルデータを操作することと、
前記データに前記グラフィカルデータを関連付けること
とを含むデータ交換方法。
【請求項１３】
前記関連付けることは、前記データを前記グラフィカルデータ上に重ねることを含む、請求項１２記載のデータ交換方法。
【請求項１４】
前記データに関連付けられた前記グラフィカルデータを前記ユニットに表示することをさらに含む請求項１２記載のデータ交換方法。
【請求項１５】
前記制御センタにおけるデータ記憶部にアクセスすることをさらに含む請求項１２記載のデータ交換方法。
【請求項１６】
前記グラフィカルデータについてコントロールに問い合わせることをさらに含む請求項１２記載のデータ交換方法。
【請求項１７】
メモリを有するユニットに送信されたデータを関連付ける方法であって、前記メモリは、前記ユニット上のソフトウェアコントロールによりアクセス可能な格納データを含み、前記方法は、
前記ユニット上の動作環境内の前記コントロールを起動することと、
メモリから前記格納データを検索することと、
前記格納データの更新を要求することと、
前記ユニット上の送受信器において、更新データを受信することと、
前記更新データを前記格納データに関連付けることと、
前記コントロールに従って、前記格納データおよび前記更新データを前記ユニットに表示すること
とを含むデータ関連付け方法。
【請求項１８】
前記更新データを送信する中央ロケーションにおけるデータ記憶部にアクセスすることをさらに含む請求項１７記載のデータ関連付け方法。
【請求項１９】
前記ユニットにおいて前記更新データをフィルタリングすることをさらに含む請求項１７記載のデータ関連付け方法。
【発明の詳細な説明】
【技術分野】
【０００１】
［発明の背景］
［発明の分野］
本発明は、電子対話式通信システムに関し、特に、コントロールを改良し、各種装置ユニット間の対話通信機能を最適に分散させたシステムに関する。
【０００２】
［関連出願の相互参照］
本願は、２００１年１２月２１日出願の米国仮特許出願第６０／３４１，８６２号、名称「Electronic Interactive Communication System and the Method Therefor」、および２００２年１２月１８日出願の米国非仮特許出願、名称「Electronic Interactive Communication System and the Method Therefor」の利益を主張するものであり、これらを両方とも参照により本明細書に援用する。
【０００３】
［関連技術分野の考察］
人々が情報を互いに送受信できるようにする電子メール技術等、様々な通信技術が商業的に知られている。こういった技術を組み込んだ手のひらサイズかつ／または可搬式通信装置が、それらのもつ可搬性および性能により普及した。従来の技術では、このような通信装置は通信メッセージの送信および／または受信、ならびに他のソースからの情報のダウンロードおよび／またはアップロードが可能である。通信装置は画面上にかなりのデータをダウンロードすることができる。たとえば、可搬式全地球測位システム（「ＧＰＳ」）は、ナビゲーションシステムが方向ナビゲーションを行えるようにする信号を生成する。
【０００４】
従来の可搬式通信装置は、データを装置のデータベースに記憶するか、あるいはサーバ等、別の装置からデータを受け取る。使用に際し、装置は、ユーザがデータを操作することができるようにそのデータをディスプレイに表示する。Ｂｌａｃｋｂｅｒｒｙ（登録商標）ハンドヘルド可搬式通信システムが一例である。しかし、こういった装置はリアルタイムで更新されないスタティックデータを提供する。これは、リアルタイムでの更新には、データの送信に大きな帯域幅が必要になる可能性があるためである。帯域幅使用の制約により、従来の通信装置はデータをリアルタイムで送受信することができない場合がある。
【０００５】
［発明の概要］
したがって、開示される実施形態は、更新して表示するために、情報が既存のデータに重ねられるように、リアルタイムのデータ情報を伝送する通信システムおよび装置を対象とする。データ情報は、正確性を確保するためにリフレッシュすることができる。
【０００６】
開示される実施形態によれば、データ交換システムが開示される。データ交換システムは、データを含む記憶部に接続された送信器を備える。送信器は、データを保持する信号を送信する。データ交換システムは、信号を受信する受信器も備える。データ交換システムは、ディスプレイに接続されたプロセッサであって、信号を解釈し、信号内の受信データを、プロセッサがアクセス可能なデータに関連付けるプロセッサも備える。
【０００７】
開示される実施形態によれば、データ交換処理ユニットが開示される。このユニットは、中央源からデータを受信するプロセッサ、およびプロセッサに接続され、コントロールにより操作可能なグラフィカルデータを記憶するメモリを備える。データ交換処理ユニットは、プロセッサに接続され、コントロールに従って受信データおよびグラフィカルデータを表示するディスプレイも備える。データ交換システムはコントロールを識別し管理するマネージャを備え、マネージャはプロセッサによりイネーブル(enabled)される。
【０００８】
開示される実施形態によれば、ユニットと制御センタの間でデータを交換する方法が開示される。この方法は、ユニット上のプロセッサに接続された送受信器において、制御センタからデータを受信することも含む。方法は、コントロールがマネージャと通信している状態で、プロセッサを介してグラフィカルデータを操作することも含む。方法は、上記データに上記グラフィカルデータを関連付けることも含む。
【０００９】
開示される実施形態によれば。メモリを有するユニットに送信されるデータを関連付ける方法が開示される。メモリは、ユニット上のソフトウェアコントロールによりアクセス可能な格納データを含む。この方法は、ユニット上の動作環境内のコントロールを起動することを含む。方法は、メモリから格納データを検索することも含む。方法は、格納データの更新を要求することも含む。方法は、ユニット上の送受信器において、更新データを受信することも含む。方法は、更新データを格納データに関連付けることも含む。方法は、コントロールに従って、格納データおよび更新データをユニットに表示することも含む。
【００１０】
開示される実施形態のさらなる特徴および利点は、以下の説明に示し、説明から明らかになる部分もあれば、本発明の実施により学ぶことができるものもある。本発明の目的および他の利点は、本明細書の書面での説明および特許請求の範囲、ならびに添付図面において特に指摘される構造によって認識し達成されるであろう。
【００１１】
本発明のさらなる理解を提供するために包含され、本明細書に組み込まれ、本明細書の一部をなす添付図面は、本発明の実施形態を示すとともに、説明と併せて本発明の原理を説明する役割を果たす。
【００１２】
［好ましい実施形態の詳細な説明］
これより、本発明の好ましい実施形態を詳細に参照し、その例を添付図面に示す。
【００１３】
図１は、開示される実施形態による通信システム１０を示す。通信システム１０は、制御ノード１４の制御下で通信する複数の通信ユニット２０、２２、および２４を備える。通信システム１０はデータ交換システムとして知られている場合もある。開示される実施形態によれば、制御ノード１４は遠隔制御センタ１６に設置される。代替の実施形態では、制御ノード１４は別個の要素としてユニット２０、２２、および２４に設置される。制御ノード１４は、２つ以上の通信ユニット２０、２２、または２４の間の通信を制御する。制御ノード１４は、データベース３０からデータを検索して、以下に述べるような様々な制御機能を動作させる。
【００１４】
通常、動作環境において、通信ユニット２０、２２、および２４は様々なソフトウェアコントロールを記憶することができる。コントロールはそれぞれの動作環境内でアクティブである場合もあれば、非アクティブである場合もある。アクティブ化するには、コントロールを使用するコンピュータ装置、たとえば、制御ノード１４等の他のソフトウェアまたはオペレーティングシステムがそのコントロールをトグル（toggle）する。
【００１５】
制御センタ１６は、ユニット２０、２２、および２４から情報を送受信する送受信器１８も備えることができる。送受信器１８は、好ましくは、ユニット２０、２２、および２４とワイヤレス通信する。代替として、送受信器１８および制御センタ１６は、ケーブル、光ファイバ回線、電話回線、同軸ケーブル、赤外線等を介してユニット２０、２２、および２４に接続してもよい。送受信器１８はデータベース３０に接続されて、情報をユニット２０、２２、および２４に送信する。制御ノード１４は、ユニット２０、２２、および２４へのインタフェースを送受信器１８に提供する。送受信器１８はアンテナ装置３２に接続される。
【００１６】
ユニット２４等、ユニット上のソフトウェアコントロールは、データベース３０に存在する情報を要求することができる。ユニット２４は、存在する（resident）ソフトウェアコントロールマネージャを介して、データについて制御センタ１６に問い合わせをする。送受信器１８は要求を受け取り、データベース３０に問い合わせをする。データベース３０はデータを提供し、送受信器１８はデータをユニット２４に送信する。制御ノード１４は、ユニット２４上のソフトウェアコントロールマネージャと対話することによってこのプロセスをやりやすくすることができる。
【００１７】
さらに、制御センタ１６は、新しいデータが利用可能になると、定期的な更新をユニット２０、２２、および２４に提供することができる。送受信器１８は、制御ノード１４、データベース３０、または制御センタ１６の他の構成要素から更新データを受信することができる。データを定期的に送信することにより、ユニット２０、２２、および２４はデータについて制御センタ１６に連続して問い合わせすることがないため、データ送信に割り振られる帯域幅の量を低減することができる。データは特定の回数でバーストで送信することができ、ユニット２０、２２、および２４はそのデータを受信するのを待っている。データは、ユニット２０、２２、および２４で実行されているプログラムに関するものにすることができる。たとえば、ユニット２０は、地図を操作するコントロールを有する地図機能を実行する。グループ、ユニット、または個人を表すアイコンを地図グラフィックに重ねることができる。アイコンは、制御センタ１６からの位置情報を使用して定期的に更新される。
【００１８】
図２は、開示される実施形態による通信ユニット２００のブロック図を示す。ユニット２００は、デスクトップ、可搬式コンピュータ、ラップトップ、個人情報端末（「ＰＤＡ」）、ワイヤレス電話、データノード等、任意のコンピュータまたは装置を含むことができる。ユニット２００はまた、コンピュータまたは他のデータ交換装置のネットワークであってもよい。ユニット２００は、アンテナ２３０により信号を送受信する送受信器２２２、データを表示するグラフィカルユーザインタフェースまたはディスプレイ２２６、受信した信号および送信する信号を処理するプロセッサ２２４、およびデータおよびソフトウェアコントロールを記憶するメモリ２２８を備える。ユニット２００は、メモリ２２８に記憶されているオペレーティングシステム等、ソフトウェアプログラムを実行する動作環境を備える。動作環境は、実行中のプログラムを向上させるソフトウェアコントロールもサポートする。
【００１９】
プロセッサ２２４は、メモリ２２８等、メモリに記憶されている命令を実行するいずれのプロセッサであってもよい。プロセッサ２２４は、データおよびソフトウェアコントロールをデータベース２２８から検索、またはデータベース２２８に保存する。ソフトウェアコントロールはメモリ２２８に記憶し、ディスプレイ２２６に表示することができる。ユニット２００のユーザは、ソフトウェアコントロールを使用して、ディスプレイ２２６を介してコマンドまたは要求を入力することができる。プロセッサ２２４は、メモリ２２８の照会を含め、様々な方法で入力に応答する。プロセッサ２２４は、入力に応答して送受信器２２２をアクティブ化し、情報を、図１中の制御センタ１６等、遠隔制御センタと交換することができる。
【００２０】
好ましくは、プロセッサ２２４はプログラム、または一連のプログラムをユニット２００で実行する。プロセッサ２２４は、データをメモリ２２８から検索し、グラフィカルデータをディスプレイ２２６に表示する。たとえば、地図プログラムをメモリ２２８内に記憶することができる。実行されると、地図プログラムは地図グラフィックをユニット２００に表示する。地図グラフィックを操作するソフトウェアコントロールもメモリ２２８に記憶され、プロセッサ２２４により起動される。ソフトウェアコントロールマネージャはソフトウェアコントロールを制御することができる。メモリ２２８は、ソフトウェアコントロールマネージャを記憶することができる。プロセッサ２２４は、記憶されているプログラム、ソフトウェアコントロール等と併せてソフトウェアコントロールマネージャを実行することが可能である。
【００２１】
ユニット２００は、アンテナ２３０および送受信器２２２を介してデータおよび情報を受信する。データおよび情報は、上述したように、、遠隔地にある送信器から更新することができる。プロセッサ２２４は、新しいまたは更新されたデータを、メモリ２２８に記憶されているデータに関連付ける。ディスプレイ２２６は、格納データおよび更新データを共に表示する。好ましくは、プロセッサ２２４は、ディスプレイ２２６において更新データを格納データに重ねる。したがって、ユニット２００は、連続接続および帯域幅の増大なしで更新をリアルタイムで受信する。上述したように、ユニット２００は定期的にデータを受信して、帯域幅要件を低減することができる。さらに、開示される実施形態は、メモリ２２８内のデータの表示および表現を向上させる。さらに、フィルタをユニット２００に配置して、送受信器で受け取ったデータをフィルタリングすることもできる。データが要求されていないか、または受信を認可されていないものである場合、フィルタは、ユニット２００においてそのデータがそれ以上処理されないようにすることができる。特定のデータをユニット２００での使用からフィルタリングして除去することができる。
【００２２】
他の実施形態では、送受信器２２２はアンテナ２３０を介して更新を受信する。プロセッサ２２４は、ユーザ選好、デフォルト設定等を介してデータのフォーマットを決定する。新しいデータはメモリ２２８中の格納データに相関付けられ、それに従ってディスプレイ２２６に表示される。
【００２３】
図３は、開示される実施形態による、データを表示している通信ユニット３００を示す。通信ユニット３００は、実行中のプログラムをサポートする動作環境を備える。動作環境は、ソフトウェアコントロール３０６および３０８、ならびにソフトウェアコントロールマネージャ３０４もサポートする。ユニット３００は３０６および３０８を表示することができるが、マネージャ３０４は表示されない。マネージャ３０４は、コントロール３０６および３０８、並びにユニット３００との通信をやりやすくする。
【００２４】
さらに、コントロール３０６および３０８は同一のコントロールでなくてもよく、異なる機能をユニット３００において提供してもよい。たとえば、コントロール３０６および３０８は地図コントロールおよびコンパスコントロールそれぞれであることができる。地図コントロール３０６はコンパスコントロール３０８を動作させる必要がなくてもよいが、コンパスコントロール３０８は地図コントロール３０６を機能させる必要がある場合がある。
【００２５】
グラフィック３０２は、ユニット３００に表示される視覚的データであることができる。グラフィック３０２は、ユニット３００内のメモリに記憶されているデータから導出することができる。たとえば、グラフィック３０２は地図であってよい。アイコン３１０、３１２、３１４、および３１６もまたユニット３００に表示される。好ましくは、アイコン３１０〜３１６はグラフィック３０２に重ねられる。アイコン３１０〜３１６は、アンテナ３２０を介してユニット３００が受信しているデータに関連することができる。アイコン３１０は遠隔場所からの更新データを反映することができる。好ましくは、アイコン３１０〜３１６はユニット３００のディスプレイ内で移動し、また、グラフィック３０２から独立している。アイコン３１０および３１２は、アイコン３１４および３１６と異なるエンティティを表してもよい。たとえば、アイコン３１０および３１２は、グラフィック３０２によって表される領域内の「敵」ユニットを表し、アイコン３１４および３１６は「友好的な」ユニットを表すことができる。代替として、アイコン３１０および３１２はグラフィック３０２上の自動車を表し、アイコン３１４および３１６は貨物自動車（trucks）を表すことができる。アイコン３１０〜３１６で表されるエンティティが移動すると、この情報がアンテナ３２０を介してユニット３００に送信される。アイコン３１０〜３１６は、それに従ってこのデータを使用して更新される。したがって、ユニット３００がグラフィック３０２の表示を「リフレッシュ」すると、アイコン３１０〜３１６は、遠隔場所から受信した更新データ、すなわち新しいデータに従って移動することができる。
【００２６】
コントロール３０６および３０８は、グラフィック３０２およびアイコン３１０〜３１６の表示をやりやすくする。ユニット３００は、コントロール３０６または３０８において入力を受け取ることができる。入力は、グラフィック３０２またはアイコン３１０〜３１６に関する情報に関連する。マネージャ３０４は、該当するコントロールを認識し、情報／要求をユニット３００内の処理ロジックに渡すことによりコントロール３０６または３０８からの入力を調整する。該当する場合、ユニット３００はアンテナ３２０を介して別のユニットまたは遠隔場所からの更新を要求することができる。要求されたデータを受信すると、マネージャ３０４は該当するコントロールを識別する。ユニット３００はそれに従ってグラフィック３００またはアイコン３１０〜３１６を更新する。
【００２７】
たとえば、コントロール３０６は地図コントロールを表し、コントロール３０８はコンパスコントロールを表す。ユニット３００に表示されているコンパスコントロール３０８上の「北（Ｎｏｒｔｈ）」を押下する場合、コンパスコントロール３０８は、グラフィック３０２を北に移動させるよう要求する。続けて、地図コントロール３０６はズームイン要求を受け取ることができ、グラフィック３０２はそれに従って調整される。マネージャ３０４は、コントロール３０６および３０８と表示されているデータとの間のこういった対話をやりやすくする。
【００２８】
コントロール３０６および３０８は、電子再使用可能情報技術環境（e-Reusable Information Technology Environment）（「ｅＲＩＴＥ」）コントロールとして知られている場合もある。コントロール３０６および３０８は、典型的なソフトウェアコントロールよりも上のさらなる属性を有し得る。１つの属性はｅＲＩＴＥタイプであることができる。ｅＲＩＴＥタイプは、コントロールの全体的なタイプを表す「地図」または「コンパス」等のストリングであることができる。属性により、マネージャ３０４は動作環境内のその他のコントロールからそのコントロールを識別することができる。別の属性はサポートメンバであることができる。サポートメンバは、上述したコンパスの例等、識別されたコントロールが使用する必要があり得るその他のコントロールを列挙したストリングであることができる。
【００２９】
コントロールマネージャ３０４はｅＲＩＴＥマネージャとして知られている場合もある。マネージャ１４はいくつかの属性を有することができ、ｅＲＩＴＥコントロールを参照して上に開示した属性と同じ属性を含むことができる。しかしマネージャ１４は、コントロール３０６および３０８を操作できるようにする、マネージャに独自の特定の属性を有することができる。属性は、動作環境内で使用される他のコントロールを列挙したコントロールリストであることができる。これら列挙されたコントロールは、マネージャ３０４によって認識されたコントロールである。コントロールリストは閲覧または変更が難しいものであることができ、また、閲覧または変更は特定の状況下で行うことができるものである。マネージャ３０４の別の属性は、ポップアップメッセージボックスに表示するデータフィールドの名称を返す、またはセットする情報フィールドであることができる。別の属性は、ｅＲＩＴＥストレージディレクトリの名称を返す、またはセットするストレージディレクトリであることができる。
【００３０】
好ましい実施形態は、動作環境内で特定の用法を有する特定のコントロールを利用する。１つのコントロールは、ユーザが適切なデータに接触する、または自動リフレッシュを実施できるようにするデータコントロールであることができる。情報コントロールが、オペレーティングシステム内にフィルタをセットアップして、冗長的または誤った情報が交換されるのを防ぐことができる。フィルタは、ユニット内のセキュリティパッケージの一部であってよく、異なる機能を認めることもできる。
【００３１】
表示上のボタンにより、地図、ロケーションデータ等、マネージャにどの情報を検索するかを通知できるようにするモードコントロールを実施してもよい。モードのタイプにより、ユニットに情報をどのように表示するかを決めることができる。たとえば、異なる地図を異なるシナリオに使用することができ、表示上のボタンをクリックすることによって地図を変更することができる。
【００３２】
動作環境がそれ自体を外部世界に向けて異なる方式で表示または提示できるようにするアクティブトラックデータコントロールも実施することができる。ディスプレイ上のデータの各トラックは、地図等、表示されているグラフィックの上を浮動する別個のエンティティであることができる。トラックは、マウスまたはカーソルの命令に応答することができる。トラックのデータは、好ましくはワイヤレス方式でユニットにおいて受信することができる。情報を受け取ると、トラックを、グラフィック表示の上を浮動するように更新することができる。
【００３３】
上に明らかにしたように、ｅＲＩＴＥ動作環境のマネージャ３０４ならびにコントロール３０６および３０８をユニット３００において使用して、図１に明らかにしたように、送信器に接続された中央データベースと通信することができる。具体的には、複数の異なるユニット３００が、通信装置システムの送信源からデータを受信し、システム内で所望のようにデータを更新し操作することができる。ユニット３００がデータを表示し交換できるようにする異なるコントロールをアクティブ化することができる。交換されるデータとしては、ユニット３００のロケーション、およびユーザにより選択される他の任意の情報が挙げられる。データは送信され、ユニット３００はコントロール内にフィルタを備えて、有用な、または選択されたデータを表示することができる。したがって、あるユニットに表示されるデータは、別のユニットに表示されるデータと同じではない場合もあり、または送信されたものよりも少ない場合もある。フィルタは、特定のコントロール、マネージャ３００、動作環境、ユーザ等によりイネーブルすることができる。
【００３４】
図４は、開示される実施形態による電子通信システム内のデータを交換するフローチャートを示す。データは、プロセッサを有するユニットまたは装置上で処理し使用することができる。メモリからデータ格納データを検索することにより、ステップ４０２が実行される。プロセッサは、メモリ内のデータにアクセスし表示するコマンドを受け取ることができる。さらに、データが検索されたことに応答して、ソフトウェアコントロールを起動することができる。ソフトウェアコントロールは、格納データおよびその結果としてのいかなるプログラムに特に関連するものであったり、または随時起動されるグローバルなコントロールであったりする。入力、コマンド、またはデータ要求について該当する複数のコントロールに、または１つのコントロールに問い合わせすることにより、ステップ４０４が実行される。さらに、コントロールは定期的な間隔でプロンプトを受信して、入力を受け取ることができる。
【００３５】
メモリからアクセスされたデータを更新またはリフレッシュする更新データを要求することにより、ステップ４０６が実行される。更新データは、遠隔場所からのものであっても、またはユニット上の他のコントロールもしくはメモリからのものであってもよい。好ましくは、データベースまたは他のメモリを有する遠隔制御センタが更新データを提供する。更新データを含むデータ記憶部すなわちメモリにアクセスすることにより、ステップ４４８が実行される。メモリは、次の更新が提供されるまで、短い期間、更新データを記憶するランダムアクセスメモリであることができる。更新データをユニットに送信することによりステップ４１０が実行される。ユニット上のメモリから送られる場合、プロセッサは、更新データの検索に必要な動作を実行する。データが遠隔場所から送信される場合、送受信器により更新データを送信することができる。好ましくは、遠隔場所は更新データをワイヤレスで送信する。
【００３６】
プロセッサにおいて更新データを受け取ることにより、ステップ４１２が実行される。アンテナおよびプロセッサに接続された送受信器等、データの受信にあたり、さらなる構成要素を利用することができる。プロセッサは、受け取ったデータに対応するコントロールおよび格納データを識別することができる。更新データに検索されたデータを関連付けることにより、ステップ４１４が実行される。上に明らかにしたように、検索されたデータは、プロセッサに接続されたメモリに記憶される。更新データは、検索されたデータと同一ではない場合もある。たとえば、検索されたデータは地図グラフィックであり、更新データは、地図グラフィックに重なっているアイコンの位置に関するものであり得る。更新データおよび検索されたデータをユニットに表示することにより、ステップ４１６が実行される。
【００３７】
本発明の精神および範囲から逸脱することなく、本発明の通信装置システムに様々な変更および変形を行い得ることが当業者に理解されるであろう。したがって、いずれかの特許請求の範囲およびそれらの等価物の範囲内にある場合、本発明が本発明の変更および変形を保護範囲に含むことを意図する。
【図面の簡単な説明】
【００３８】
【図１】開示される実施形態による通信システムを示す。
【図２】開示される実施形態による通信ユニットのブロック図を示す。
【図３】開示される実施形態による、データを表示している通信ユニットを示す。
【図４】開示される実施形態による電子通信システム内のデータを交換するフローチャートを示す。
【図１】
2005514826.tif 000003
【図２】
2005514826.tif 000004
【図３】
2005514826.tif 000005
【図４】
2005514826.tif 000006
【国際調査報告】
2005514826.tif 000007